(57)【要約】【課題】運動しても外れにくく、安定的に耳に固定され、また必要に応じて短尺コード付イヤホンを用いれば、ステレオで所望の音声や音響を聴取することもできる持ち運びに便利なデジタル・オーデイオプレーヤを提供する。【解決手段】メモリに記録されたデータから再生された音を出力する携帯型記録再生装置において、スピーカ及び電池を内蔵する筐体と、筐体の両側面に固定され、外耳に掛止される耳掛部とを備えたことを特徴とする。【選択図】図２
2008206117.tif 000002
【特許請求の範囲】
【請求項１】
メモリに記録されたデータから再生された音を出力する携帯型記録再生装置において、
スピーカ及び電池を内蔵する筐体と、前記筐体の両側面に固定され、外耳に掛止される耳掛部とを備えたことを特徴とする携帯型記録再生装置。
【請求項２】
ＵＳＢ端子と、該ＵＳＢ端子に接続されたケーブルを介して入力されるデータを前記メモリに記録する制御及び該ケーブルを介して供給される電力を前記電池に充電する制御を行う制御部と、を備えたことを特徴とする請求項１記載の携帯型記録再生装置。
【請求項３】
前記耳掛部は、前記スピーカの設置面に並行に該スピーカを環状に囲む環状部材を有することを特徴とする請求項１記載の携帯型記録再生装置。
【請求項４】
前記耳掛部は、前記環状部材の環状寸法を調整する調整部材を有することを特徴とする請求項３記載の携帯型記録再生装置。
【請求項５】
前記耳掛部は、前記環状部材から垂直に同方向に延伸する複数の帯状部材を有し、該帯状部材により、前記筐体の両側面に着脱自在に固定されることを特徴とする請求項３記載の携帯型記録再生装置。
【請求項６】
再生される音がステレオであるときは、再生されたステレオ信号の一方が出力される片耳用イヤホン端子を有することを特徴とする請求項１記載の携帯型記録再生装置。
【請求項７】
携帯型記録再生装置の両側面に固定されて外耳に掛止される耳掛部材であって、環状部材と、該環状部材から垂直に同方向に延伸する複数の帯状部材と、該環状部材の環状寸法を調整する調整部材とを有することを特徴とする耳掛部材。
【発明の詳細な説明】
【技術分野】
【０００１】
本発明は音声又は音響をデジタル化したデータを記録媒体に記録し、その記録されたデータをアナログ化して音声又は音響を出力する携帯型記録再生装置及びその携帯型記録再生装置に装着する耳掛部材に関する。
【背景技術】
【０００２】
近年、インターネットを介して配信されるデジタル化された音声又は音響のデータを、一旦パーソナルコンピュータにダウンロードし、ダウンロードされた音声又は音響データから所望のものを選択してデジタル・オーデイオプレーヤに記録し、再生することが容易に出来るようになった。このため、デジタル・オーデイオプレーヤを携行し、ダウンロードした音楽を歩きながら楽しんだり、ダウンロードした教材で待ち時間などを活用して学習したりすることが盛んである。
デジタル・オーデイオプレーヤに音声又は音響データを記録するには、パーソナルコンピュータからＵＳＢ接続ケーブルを介して内蔵メモリに直接書き込む方法、パーソナルコンピュータ上でメモリカードに書き込み、そのメモリカードをデジタル・オーデイオプレーヤに装着する方法などがある。
また、デジタル・オーデイオプレーヤに記録されたデータを再生し音声又は音響を聞く際には、イヤホン又はヘッドホンをオーデイオプレーヤに装着するのが一般的である。
しかしながら、耳介挿入型イヤホンは、耳介腔に装着したときに圧迫感があり、また外耳道への押し込みなどによって、外耳道に痛みを生じることや違和感を生じることがある。また、ヘッドホンは、耳殻に不要な圧迫感があるほか、耳介挿入型イヤホンに較べてサイズが大きく持ち運ぶには不便である。
そこで、耳珠及び対珠の突出量あるいは耳甲介腔の深さの個人差を吸収したイヤホンが提案されている（特許文献１参照）。また、耳甲介腔内で係止可能なユニット部を構成し、コードの引っ張りや激しい運動で耳甲介腔から容易に落下しないようにヘッドバンドを付したイヤホンが提案されている（特許文献２参照）。
しかし、イヤホンには、一般に長尺コードが接続されているので、バッグやポケットなどに収納したときにその長尺コードが絡み、左右一対のイヤホンを離すのに手間取ることがある。また、イヤホンが歩行やジョギングなどの際に耳から外れてしまうことが多く、ヘッドバンド付にすると、バッグやポケットに収納するのが容易でなく、取り外して携行する際に不便である。
このため、電子機器にバンドを取り付け、その電子機器を腕に装着することや、そのバンド自体を変形させて耳に掛けることで、コード部分を省く方法が提案されている（特許文献３参照）。さらに、耳掛部とケース部とで構成し、耳掛部とケース部との相対的位置関係を自在に調節するため、ケース部に六角棒などの回転軸部を設け、耳掛部の一端にその六角棒と嵌合する穴を設けたものなども提案されている（特許文献４参照）。
しかしながら、歩行やジョギングなどの運動を行う際に着用すると耳から外れるおそれがあり、使用が限定的である。
【特許文献１】特開平７−１５４８８８号
【特許文献２】特開２００５−７３１４４号
【特許文献３】特開２００５−１９１７６６号
【特許文献４】実用新案登録第３１１７３３２号
【発明の開示】
【発明が解決しようとする課題】
【０００３】
今日、電子部品や電池の小型化、軽量化が進展し、デジタル・オーデイオプレーヤ本体は小型・軽量で携帯に便利なものが開発されている。しかしながら、聴取手段を含めたデジタル・オーデイオプレーヤ全体としてのコンパクト化、持ち運びの容易さ、使い勝手のよさは必ずしも満たされているとは言えず、これらに対する要請はますます多様化・高度化するものと思われる。
本発明は、上記の事情に鑑み、運動しても外れにくく、安定的に耳に固定され、また必要に応じて短尺コード付イヤホンを用いれば、ステレオで所望の音声や音響を聴取することもできる持ち運びに便利なデジタル・オーデイオプレーヤ及びその耳掛部材を提供することを目的とする。
【課題を解決するための手段】
【０００４】
本発明の携帯型記録再生装置は、メモリに記録されたデータから再生された音を出力する携帯型記録再生装置において、スピーカ及び電池を内蔵する筐体と、上記筐体の両側面に固定され、外耳に掛止される耳掛部とを備えたことを特徴とする。
このように、本体が収容される筐体とその筐体に固定された耳掛部とで構成すれば、コンパクトで持ち運ぶのに便利である。
また、ＵＳＢ端子と、該ＵＳＢ端子に接続されたケーブルを介して入力されるデータを上記メモリに記録する制御及び該ケーブルを介して供給される電力を上記電池に充電する制御を行う制御部と、を備えることが好ましい。
このようにすれば、共通のＵＳＢ接続ケーブルでダウンロードも充電もできるので、そのＵＳＢ接続ケーブルを持ち運び、音声や音響の書き込みや充電を出先で容易に行うこともできる。
【０００５】
ここで、上記耳掛部は、上記スピーカの設置面に並行に該スピーカを環状に囲む環状部材を有することや、上記環状部材の環状寸法を調整する調整部材を有することが好ましい。
また、上記耳掛部は、上記環状部材から垂直に同方向に延伸する複数の帯状部材を有し、該帯状部材により、上記筐体の両側面に着脱自在に固定されることも好ましい。
耳掛部が環状になっていれば、耳にフィットしやすいし、調整部材で環状寸法を調整できれば、耳の大きさに応じてフィット感がより高まり、運動時でも外れにくい。また、筐体にネジなどを用いて固定すれば、耳掛部の取替えが容易にできる。
さらに、再生される音がステレオであるときは、再生されたステレオ信号の一方が出力される片耳用イヤホン端子を設けてもよい。
このように構成すれば、通常は、片耳で、スピーカからの音声を聞き、ステレオ音を聞きたいときは片耳用イヤホンを端子に短尺コード付イヤホンを挿入すればよいので、コンパクトで持ち運ぶのに便利である。
本発明の耳掛部材は、携帯型記録再生装置の両側面に固定されて外耳に掛止される耳掛部材であって、環状部材と、該環状部材から垂直に同方向に延伸する複数の帯状部材と、該環状部材の環状寸法を調整する調整部材とを有することを特徴とする。
このよう耳掛部材を準備すれば、取替えが容易である。
【発明の効果】
【０００６】
本発明の携帯型記録再生装置によれば、本体に固定された耳掛部を耳に掛け、耳がすぼむ程度に環状サイズを調整すれば本体は耳にしっかりと耳に固定されるので、歩行やジョギングの際に装着しても外れて下に落ちることを気にせずに音楽鑑賞や語学学習をすることができる。また全体的にコンパクトであることから持ち運ぶのも容易である。さらに、ステレオ鑑賞も、短尺コード付片耳イヤホンを端子に差し込めばよいので、コードが絡んだりすることを気に掛ける必要もない。また、本発明の耳掛部材によれば、取替えが容易である。
【発明を実施するための最良の形態】
【０００７】
図に基づいて本発明の携帯型記録再生装置及び耳掛部材の実施形態について説明する。
図１は、本実施形態を示すデジタル・オーデイオプレーヤの機能の一例を示すブロック図である。
図に示すように、本実施形態のデジタル・オーデイオプレーヤは、制御部１と、半導体メモリ２と、再生処理部１１と、電源部１２と、スピーカ３と、片耳用イヤホン端子４と、ＵＳＢ端子５と、を備え、これらは共通の制御バス１３に接続されている。また、制御部１には、操作部１４が接続され、電源部１２には、リチウムイオン電池などの二次電池６が接続されている。
操作部１４は、ユーザによって操作される機能ボタン類とデジタル・オーデイオプレーヤの状態表示を行う表示パネルとにより構成され、電源のオン・オフ、再生の開始・停止・早送り・早戻し操作を行うスイッチ、モード選択ボタン、音量調整ボタンなどを具備している。
制御部１は、ＣＰＵ、ＲＡＭ、ＲＯＭにより構成され、ＵＳＢ端子５に接続されたケーブルを介してパーソナルコンピュータなどから入力される音声又は音響のデジタルデータを半導体メモリ２に書き込む制御、そのケーブルを介してパーソナルコンピュータなどから供給される電力を電源部１２に供給する制御、操作部１４の操作に基づき、半導体メモリ２に記録されたデジタルデータを読み出して再生処理部１１に送る制御、記録されたデータを編集、削除するためＵＳＢ端子５に接続されたケーブルを介してパーソナルコンピュータなどに送る制御を行う。
半導体メモリ２は、ＵＳＢ端子５に接続されたケーブルを介してパーソナルコンピュータなどから入力されるＷＭＡファイル形式、あるいはＭＰ３ファイル形式の音声又は音響のデジタルデータを制御部１の指示に基づいて記憶する不揮発性のメモリである。
再生処理部１１は、制御部１からの指示に基づいて、半導体メモリ２から送られてくる音声又は音響のデジタルデータをヘッダの情報に基づいてステレオかモノラルかを判別する一方、圧縮形式に応じて復号化を行い、アナログ化された音声又は音響信号を出力する。
電源部１２は、二次電池６の電力を制御部１、半導体メモリ２、再生処理部１１、スピーカ３に給電する一方、二次電池６の電圧を監視して、二次電池６の容量を操作部１４の表示パネルに表示すると共に、その容量が閾値以下のときは、制御部１に情報を送り、ＵＳＢ端子５に接続されたケーブルを介してパーソナルコンピュータなどから供給される電力で二次電池６を充電する。
再生処理部１１から出力される再生された音声又は音響信号は、片耳用イヤホン端子４にイヤホンが挿入されていないときは、ステレオ、モノラルに係らず、全信号がスピーカに送られる。
また、再生された音声又は音響信号がステレオであって、片耳用イヤホン端子４にイヤホンが挿入されたときは、そのステレオ信号の一方が片耳用イヤホン端子４に送られ、他方がスピーカ３に送られる。
ここで、本実施形態のデジタル・オーデイオプレーヤは、ＵＳＢ端子５に接続されたケーブルを介して入力されるデジタルデータを半導体メモリ２に書き込んで記録することにしているが、必ずしもこれに限定されず、例えば半導体メモリ２のかわりにパーソナルコンピュータに装着して書き込んだメモリカードを所定の箇所に装着することにしてもよい。また、本実施形態の電源部１２は、充電により繰り返し使用する二次電池６を内蔵するが、必ずしも二次電池６である必要はなく、軽量であれば一次電池であっても燃料電池であってもよい。また、充電時の電源としては、ＵＳＢ端子５に接続されたケーブルを介して給電されるパーソナルコンピュータなどの電源に限定する必要はなく、充電アダプタを介して給電される商用電源であってもよい。
さらに、マイク及びコーダを備え、マイクで録音した音声などをデジタル化して半導体メモリ２に書き込んだり、再生したりする機能を付加したり、ＦＭチューナーを備え、ＦＭ放送を聴取したり、録音したりする機能を付加してもよい。
【０００８】
図２は、本実施形態の耳掛部材を装着した本実施形態のデジタル・オーデイオプレーヤ及び示す外観図の一例である。
図に示すデジタル・オーデイオプレーヤ３０は、本体が収納された筐体１０と、耳掛部２０とにより構成されている。筐体１０の側面には、ＵＳＢ端子５、片耳用イヤホン端子４が設けられ、上面には、表示パネルなどの操作部１４が設けられ、正面には、スピーカ３の音が出力されるスピーカ設置面１５がある。
本実施形態の耳掛部２０は、可撓性を有する細長い部材を弧状に曲げて両端を重ね合わせた環状部材２１と、環状部材２１の左右対称な位置から垂直に同方向に延伸した細長の２つの帯状部材２２と、中心に穴の開いた管状の部材であって、開いた穴に環状部材２１の重ね合わされた両端を挿通して環状部材２１の環状寸法を調整する調整部材２３と、により構成されている。
ここで、環状部材２１及び帯状部材２２は、例えば細長い板バネ、あるいは形状記憶合金などを溶接又は一体成形することにより、あるいは可撓性プラスチックを成形することなどにより骨組を形成し、その骨組の周囲を例えば合成ゴムなどの弾性部材で被覆し、形成することができる。また、調整部材２３は、例えばプラスチックを成形して形成することができる。形成された環状部材２１は、弧状に曲げられ、その両端を重ね合わせて調整部材の穴に挿通され、２つの帯状部材２２は、筐体１０の両側面１０ａそれぞれにネジ１６で止められ、固定される。
ここで、帯状部材２２の筐体１０への固定方法は、必ずしもネジ１６で止める必要はなく、接着剤で接着することにしてもよい。ただし、ネジ１６によって止める方法をとれば、耳掛部２０に不具合や損傷などが生じたときに、耳掛部２０の取り換えが容易である。
【０００９】
図３は、本実施形態の調整部材を一例として示す図である。
図に一例を示す調整部材２３は、角柱の中心に矩形の穴２３ａが開いており、その矩形の穴２３ａに環状部材２１の両端を重ね合わせて挿通する。本実施形態の環状部材２１の内部には板バネが入っているので、調整部材２３を挿通した環状部材２１の一方の端部２１ａが、重ね合わされた他方の端部２１ｂを矢印Ａ方向に押圧する。一方の端部２１ａと他方の端部２１ｂとの間には、Ａ方向の押圧力による摩擦力が生じ、他方の端部２１ｂが矢印Ｂ方向と逆向きに移動しようとする板バネの復元力を打ち消すので、環状寸法を一定に維持することができる。一方、環状部材２１を手で持ち上げてＡ方向の押圧力を弱めれば、摩擦力が弱まり、他方の端部２１ｂをＢ方向に引いたり、それとは逆方向に押したりして環状寸法を調整することができる。
ここで、重ね合わされた環状部材２１のうちの、一方の端部２１ａを、調整部材２３の矩形の穴２３ａに接着剤などを用いて固定してよいし、他方の端部２１ｂと同様に矩形の穴を自由に挿通できるようにしてもよい。また、本実施形態の調整部材２３は、角柱の中心に矩形の穴２３ａが開いたものを用いているが、必ずしもこれに限定されない。さらに、調整部材２３は、ベルトのバックル類似の構造のものであっても、あるいは環状部材２１の両端部に貼着された面ファスナであってもよい。
【００１０】
図４は、本実施形態の耳掛部を耳に固定する方法を示す図である。
図４に示す耳掛部２０は、説明をわかりやすくするためデジタル・オーデイオプレーヤ３０の筐体１０に固定される帯状部材２２が省略されている。
本実施形態のデジタル・オーデイオプレーヤ３０で音楽や音声を聴くため、耳掛部２０を耳５０に固定するときは、先ず、環状部材２１の他方の端部２１ｂを矢印Ｂ方向とは反対向きに押し、環状寸法を大きくした後、その環状部材２１を外耳５１に掛ける。次に、耳５０を手ですぼめながら外耳５１に掛けた環状部材２１の他方の端部２１ｂを矢印Ｂ方向に引き、環状寸法を小さくして、環状部材２１を外耳５１に固定する。
本実施形態において、環状部材２１の環状寸法を小さくするため、環状部材２１の他方の端部２１ｂを引く方向は、顔の後から顔の前に向けた方向であり、環状部材２１は右耳の外耳５１に掛ける例が示されている。しかしながら、環状部材２１の他方の端部２１ｂを引く方向は、顔の前から顔の後に向けた方向であってもよいので、環状部材２１は左耳の外耳５１に掛けてもよい。
したがって、環状寸法を小さくするために他方の端部２１ｂを引く方向が、顔の後から顔の前に向けた方向の環状部材２１と、顔の前から顔の後に向けた方向の環状部材２１の２種類を用意しておけば、左右の耳の何れの外耳５１に掛ける場合であってもそれに応じた好みのものを選択し、筐体に取り付けることができる。
【図面の簡単な説明】
【００１１】
【図１】本実施形態を示すデジタル・オーデイオプレーヤの機能の一例を示すブロック図である。
【図２】本実施形態の耳掛部材を装着した本実施形態のデジタル・オーデイオプレーヤを示す外観図の一例である。
【図３】本実施形態の調整部材を一例として示す図である。
【図４】本実施形態の耳掛部を耳に固定する方法を示す図である。
【符号の説明】
【００１２】
１    制御部
２    半導体メモリ
３    スピーカ
４    片耳用イヤホン端子
５    ＵＳＢ端子
６    二次電池
１０  筐体
１０ａ側面
１１  再生処理部
１２  電源部
１３  制御バス
１４  操作部
１５  スピーカ設置面
１６  ネジ
２０  耳掛部
２１  環状部材
２１ａ一方の端部
２１ｂ他方の端部  
２２  帯状部材
２３  調整部材
２３ａ矩形の穴
３０  デジタル・オーデイオプレーヤ
５０  耳
５１  外耳
【図１】
2008206117.tif 000003
【図２】
2008206117.tif 000004
【図３】
2008206117.tif 000005
【図４】
2008206117.tif 000006